(57)【要約】  本願はデータ伝送方法及び装置を開示し、周波数ダイバーシチ利得を取得することができ、さらに伝送信頼性を向上させる。前記方法は、複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なるステップと、前記複数のキャリア又はキャリアグループを利用して、前記複数のロジックチャネルで搬送される前記複製データをそれぞれ伝送するステップと、を含む。
2020512729.tif 000002
【特許請求の範囲】
【請求項１】
データ伝送方法であって、
複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なるステップと、
前記複数のキャリア又はキャリアグループを利用して、前記複数のロジックチャネルで搬送される前記複製データをそれぞれ伝送するステップと、を含むことを特徴とするデータ伝送方法。
【請求項２】
前記した複製データを搬送するための複数のロジックチャネルに基づいて、前記複製データを伝送するための複数のキャリア又はキャリアグループを決定するステップは、
前記複数のロジックチャネルのうちの各ロジックチャネルに対応する指示情報に基づいて、前記複数のキャリア又はキャリアグループを決定するステップを含むことを特徴とする請求項１に記載の方法。
【請求項３】
前記各ロジックチャネルに対応する指示情報が、前記各ロジックチャネルに対応するロジックチャネル設定情報の指示フィールドに含まれることを特徴とする請求項２に記載の方法。
【請求項４】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項３に記載の方法。
【請求項５】
前記指示情報は、前記複数のロジックチャネルのうちの第１ロジックチャネルに対応する第１指示情報を含み、前記第１指示情報は、１つ又は１グループのキャリアのキャリア識別子ＩＤを指示することに用いられ、前記した前記複数のロジックチャネルのうちの各ロジックチャネルに対応する指示情報に基づいて、前記複数のキャリア又はキャリアグループを決定するステップは、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定するステップを含み、
前記した前記複数のキャリア又はキャリアグループを利用して、前記複数のロジックチャネルで搬送される前記複製データをそれぞれ伝送するステップは、
前記第１キャリア、又は前記第１キャリアグループのうちの一部又は全部キャリアを利用して、前記第１ロジックチャネルで搬送される前記複製データを伝送するステップを含むことを特徴とする請求項２〜４のいずれか１項に記載の方法。
【請求項６】
前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記した前記複数のロジックチャネルのうちの各ロジックチャネルに対応する指示情報に基づいて、前記複数のキャリア又はキャリアグループを決定するステップは、
前記第２指示情報に基づいて、前記第２ロジックチャネル及び前記他のロジックチャネルで搬送される前記複製データがそれぞれ異なるキャリア又はキャリアグループに対応することを決定するステップを含み、
前記した前記複数のキャリア又はキャリアグループを利用して、前記複数のロジックチャネルで搬送される前記複製データをそれぞれ伝送するステップは、
前記異なるキャリア又はキャリアグループを利用して、前記第２ロジックチャネル及び前記他のロジックチャネルで搬送される前記複製データをそれぞれ伝送するステップを含むことを特徴とする請求項２〜４のいずれか１項に記載の方法。
【請求項７】
前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記した前記複数のロジックチャネルのうちの各ロジックチャネルに対応する指示情報に基づいて、前記複数のキャリア又はキャリアグループを決定するステップは、
前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定するステップを含み、
前記した前記複数のキャリア又はキャリアグループを利用して、前記複数のロジックチャネルで搬送される前記複製データをそれぞれ伝送するステップは、
前記異なるキャリア又はキャリアグループを利用して、前記第３ロジックチャネル及び前記第４ロジックチャネルで搬送される前記複製データをそれぞれ伝送するステップを含むことを特徴とする請求項２〜４のいずれか１項に記載の方法。
【請求項８】
前記した前記複数のロジックチャネルのうちの各ロジックチャネルに対応する指示情報に基づいて、前記複数のキャリア又はキャリアグループを決定する前に、前記方法は、
前記各ロジックチャネルのロジックチャネル設定情報に、前記指示情報を含む指示フィールドが存在することを決定するステップをさらに含むことを特徴とする請求項３〜７のいずれか１項に記載の方法。
【請求項９】
前記した複製データを搬送するための複数のロジックチャネルに基づいて、前記複製データを伝送するための複数のキャリア又はキャリアグループを決定するステップは、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応するステップと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応するステップと、を含むことを特徴とする請求項１に記載の方法。
【請求項１０】
前記第１対応関係は上位層シグナリングによって事前設定されることを特徴とする請求項９に記載の方法。
【請求項１１】
前記複製データは、パケットデータコンバージェンスプロトコルＰＤＣＰスプリットベアラによる同一のＰＤＣＰプロトコルデータユニットＰＤＵの複製データであることを特徴とする請求項１〜１０のいずれか１項に記載の方法。
【請求項１２】
前記複製データが前記複数のロジックチャネルによって搬送されるのは上位層シグナリングによって事前設定されることを特徴とする請求項１〜１１のいずれか１項に記載の方法。
【請求項１３】
前記上位層シグナリングは無線リソース制御ＲＲＣシグナリングであることを特徴とする請求項１２に記載の方法。
【請求項１４】
データ伝送装置であって、
複製データを搬送するための複数のロジックチャネルに基づいて、前記複製データを伝送するための複数のキャリア又はキャリアグループを決定することに用いられ、前記複数のロジックチャネルのうちの少なくとも２つのロジックチャネルに対応する、前記複製データを伝送するためのキャリア又はキャリアグループは異なる決定モジュールと、
前記複数のキャリア又はキャリアグループを利用して、前記複数のロジックチャネルで搬送される前記複製データをそれぞれ伝送することに用いられる通信モジュールと、を備えることを特徴とするデータ伝送装置。
【請求項１５】
前記決定モジュールは、具体的には、
前記複数のロジックチャネルのうちの各ロジックチャネルに対応する指示情報に基づいて、前記複数のキャリア又はキャリアグループを決定することに用いられることを特徴とする請求項１４に記載の装置。
【請求項１６】
前記各ロジックチャネルに対応する指示情報が、前記各ロジックチャネルに対応するロジックチャネル設定情報の指示フィールドに含まれることを特徴とする請求項１５に記載の装置。
【請求項１７】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項１６に記載の装置。
【請求項１８】
前記指示情報は、前記複数のロジックチャネルのうちの第１ロジックチャネルに対応する第１指示情報を含み、前記決定モジュールは、具体的には、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定することに用いられ、
前記通信モジュールは、具体的には、
前記第１キャリア、又は前記第１キャリアグループのうちの一部又は全部キャリアを利用して、前記第１ロジックチャネルで搬送される前記複製データを伝送することに用いられることを特徴とする請求項１５〜１７のいずれか１項に記載の装置。
【請求項１９】
前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記決定モジュールは、具体的には、
前記第２指示情報に基づいて、前記第２ロジックチャネル及び前記他のロジックチャネルで搬送される前記複製データがそれぞれ異なるキャリア又はキャリアグループに対応することを決定することに用いられ、
前記通信モジュールは、具体的には、
前記異なるキャリア又はキャリアグループを利用して、前記第２ロジックチャネル及び前記他のロジックチャネルで搬送される前記複製データをそれぞれ伝送することに用いられることを特徴とする請求項１５〜１７のいずれか１項に記載の装置。
【請求項２０】
前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記決定モジュールは、具体的には、
前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定することに用いられ、
前記伝送モジュールは、具体的には、
前記異なるキャリア又はキャリアグループを利用して、前記第３ロジックチャネル及び前記第４ロジックチャネルで搬送される前記複製データをそれぞれ伝送することに用いられることを特徴とする請求項１５〜１７のいずれか１項に記載の装置。
【請求項２１】
前記決定モジュールは、具体的には、
前記各ロジックチャネルのロジックチャネル設定情報に、前記指示情報を含む指示フィールドが存在することを決定することに用いられることを特徴とする請求項１６〜２０のいずれか１項に記載の装置。
【請求項２２】
前記決定モジュールは、具体的には、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応することと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応することとに用いられることを特徴とする請求項２１に記載の装置。
【請求項２３】
前記第１対応関係は上位層シグナリングによって事前設定されることを特徴とする請求項２２に記載の装置。
【請求項２４】
前記複製データは、パケットデータコンバージェンスプロトコルＰＤＣＰスプリットベアラによる同一のＰＤＣＰプロトコルデータユニットＰＤＵの複製データであることを特徴とする請求項１４〜２３のいずれか１項に記載の装置。
【請求項２５】
前記複製データが前記複数のロジックチャネルによって搬送されるのは上位層シグナリングによって事前設定されることを特徴とする請求項１４〜２４のいずれか１項に記載の装置。
【請求項２６】
前記上位層シグナリングは無線リソース制御ＲＲＣシグナリングであることを特徴とする請求項２５に記載の装置。
【発明の詳細な説明】
公序良俗違反のため、不掲載とする。
【図１】
2020512729.tif 000003
【図２】
2020512729.tif 000004
【図３】
2020512729.tif 000005
【図４】
2020512729.tif 000006
【図５】
2020512729.tif 000007
【手続補正書】
【提出日】令和2年2月20日(2020.2.20)
【手続補正１】
【補正対象書類名】明細書
【補正対象項目名】００４９
【補正方法】変更
【補正の内容】
【００４９】
選択肢として、前記データ伝送装置はさらに、前記複数のロジックチャネルに対応する指示情報に基づいて、複数のキャリア又はキャリアグループを決定することができ、例えば、前記指示情報は、対応するロジックチャネルにおける複製データを伝送するためのキャリア又はキャリアグループの識別子（Ｉｄｅｎｔｉｔｙ、ＩＤ）を直接指示することができ、従って、データ伝送装置は、ＭＡＣ層において各ロジックチャネルにおける複製データを取得した後、前記各ロジックチャネルに対応する指示情報に基づいて、各指示情報により指示されるキャリア又はキャリアグループのＩＤを決定することができる。選択肢として、前記複数のロジックチャネルのうちの第１ロジックチャネルに対応する指示情報はさらに、前記複数のロジックチャネルのうちの前記第１ロジックチャネル以外の他のロジックチャネルの識別子情報を指示することができ、それにより、データ伝送装置は、前記第１ロジックチャネルに対応する指示情報に基づいて、前記第１ロジックチャネルとともに複製データを伝送する他のロジックチャネルを決定することができ、それで、前記データ伝送装置は、ＭＡＣ層においてデータをスケジューリングする時、前記第１ロジックチャネル及び前記他のロジックチャネルで搬送される複製データを異なるキャリア又はキャリアグループにスケジューリングして伝送することができ、それにより周波数ダイバーシチ利得を取得することができ、さらに伝送信頼性を向上させる。
【手続補正２】
【補正対象書類名】明細書
【補正対象項目名】００６１
【補正方法】変更
【補正の内容】
【００６１】
つまり、各ロジックチャネルに対応する指示情報は、前記各ロジックチャネルで搬送される複製データを伝送するためのキャリア又はキャリアグループを直接指示してもよく、それにより、データ伝送装置は、直接各ロジックチャネルの指示情報により指示されるキャリア又はキャリアグループに基づいて、前記各ロジックチャネルで搬送される複製データをスケジューリングすることができる。又は前記各ロジックチャネルに対応する指示情報は、前記各ロジックチャネルとともに複製データを伝送するロジックチャネルの識別子情報を指示してもよく、それにより、データ伝送装置は、ＭＡＣ層において前記各ロジックチャネルで搬送される複製データをどの異なるキャリア又はキャリアグループにスケジューリングして伝送するかを決定することができる。
【手続補正３】
【補正対象書類名】明細書
【補正対象項目名】００６６
【補正方法】変更
【補正の内容】
【００６６】
具体的には、ＭＡＣ層において、前記データ伝送装置は、先ず前記各ロジックチャネルに対応するロジックチャネル設定情報に、前記指示情報を搬送するための指示フィールドが存在するか否かを決定することができ、前記指示フィールドが存在する場合、前記データ伝送装置は、上記実施例に説明された方法に基づいて、前記複数のロジックチャネルで搬送される複製データを異なるキャリア又はキャリアグループにスケジューリングして伝送することができ、そうでない場合は、前記データ伝送装置は従来技術のスケジューリング方法に応じて、前記複数のロジックチャネルで搬送されるデータをスケジューリングすることができる。
【手続補正４】
【補正対象書類名】明細書
【補正対象項目名】００８９
【補正方法】変更
【補正の内容】
【００８９】
前記通信モジュールは、具体的には、
前記異なるキャリア又はキャリアグループを利用して、前記第３ロジックチャネル及び前記第４ロジックチャネルで搬送される前記複製データをそれぞれ伝送することに用いられる。
【手続補正５】
【補正対象書類名】明細書
【補正対象項目名】０１０８
【補正方法】変更
【補正の内容】
【０１０８】
前記送受信機は、具体的には、
前記異なるキャリア又はキャリアグループを利用して、前記第３ロジックチャネル及び前記第４ロジックチャネルで搬送される前記複製データをそれぞれ伝送することに用いられる。
【手続補正６】
【補正対象書類名】特許請求の範囲
【補正対象項目名】全文
【補正方法】変更
【補正の内容】
【特許請求の範囲】
【請求項１】
データ伝送方法であって、
複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なるステップと、
前記複数のキャリア又はキャリアグループを利用して、前記複数のロジックチャネルで搬送される前記複製データをそれぞれ伝送するステップと、を含むことを特徴とするデータ伝送方法。
【請求項２】
前記した複製データを搬送するための複数のロジックチャネルに基づいて、前記複製データを伝送するための複数のキャリア又はキャリアグループを決定するステップは、
前記複数のロジックチャネルのうちの各ロジックチャネルに対応する指示情報に基づいて、前記複数のキャリア又はキャリアグループを決定するステップを含むことを特徴とする請求項１に記載の方法。
【請求項３】
前記各ロジックチャネルに対応する指示情報が、前記各ロジックチャネルに対応するロジックチャネル設定情報の指示フィールドに含まれることを特徴とする請求項２に記載の方法。
【請求項４】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項３に記載の方法。
【請求項５】
前記指示情報は、前記複数のロジックチャネルのうちの第１ロジックチャネルに対応する第１指示情報を含み、前記第１指示情報は、１つ又は１グループのキャリアのキャリア識別子ＩＤを指示することに用いられ、前記した前記複数のロジックチャネルのうちの各ロジックチャネルに対応する指示情報に基づいて、前記複数のキャリア又はキャリアグループを決定するステップは、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定するステップを含み、
前記した前記複数のキャリア又はキャリアグループを利用して、前記複数のロジックチャネルで搬送される前記複製データをそれぞれ伝送するステップは、
前記第１キャリア、又は前記第１キャリアグループのうちの一部又は全部キャリアを利用して、前記第１ロジックチャネルで搬送される前記複製データを伝送するステップを含むことを特徴とする請求項２〜４のいずれか１項に記載の方法。
【請求項６】
前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記した前記複数のロジックチャネルのうちの各ロジックチャネルに対応する指示情報に基づいて、前記複数のキャリア又はキャリアグループを決定するステップは、
前記第２指示情報に基づいて、前記第２ロジックチャネル及び前記他のロジックチャネルで搬送される前記複製データがそれぞれ異なるキャリア又はキャリアグループに対応することを決定するステップを含み、
前記した前記複数のキャリア又はキャリアグループを利用して、前記複数のロジックチャネルで搬送される前記複製データをそれぞれ伝送するステップは、
前記異なるキャリア又はキャリアグループを利用して、前記第２ロジックチャネル及び前記他のロジックチャネルで搬送される前記複製データをそれぞれ伝送するステップを含むことを特徴とする請求項２〜４のいずれか１項に記載の方法。
【請求項７】
前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記した前記複数のロジックチャネルのうちの各ロジックチャネルに対応する指示情報に基づいて、前記複数のキャリア又はキャリアグループを決定するステップは、
前記第３指示情報が、前記第３ロジックチャネルで前記複製データが搬送されると指示し、且つ第４ロジックチャネルに対応する第４指示情報が、前記第４ロジックチャネルで前記複製データが搬送されると指示する場合、前記第３ロジックチャネル及び前記第４ロジックチャネルで搬送される前記複製データがそれぞれ異なるキャリア又はキャリアグループに対応すると決定するステップを含み、
前記した前記複数のキャリア又はキャリアグループを利用して、前記複数のロジックチャネルで搬送される前記複製データをそれぞれ伝送するステップは、
前記異なるキャリア又はキャリアグループを利用して、前記第３ロジックチャネル及び前記第４ロジックチャネルで搬送される前記複製データをそれぞれ伝送するステップを含むことを特徴とする請求項２〜４のいずれか１項に記載の方法。
【請求項８】
前記した前記複数のロジックチャネルのうちの各ロジックチャネルに対応する指示情報に基づいて、前記複数のキャリア又はキャリアグループを決定する前に、前記方法は、
前記各ロジックチャネルのロジックチャネル設定情報に、前記指示情報を含む指示フィールドが存在することを決定するステップをさらに含むことを特徴とする請求項３〜７のいずれか１項に記載の方法。
【請求項９】
データ伝送装置であって、
複製データを搬送するための複数のロジックチャネルに基づいて、前記複製データを伝送するための複数のキャリア又はキャリアグループを決定することに用いられ、前記複数のロジックチャネルのうちの少なくとも２つのロジックチャネルに対応する、前記複製データを伝送するためのキャリア又はキャリアグループは異なる決定モジュールと、
前記複数のキャリア又はキャリアグループを利用して、前記複数のロジックチャネルで搬送される前記複製データをそれぞれ伝送することに用いられる通信モジュールと、を備えることを特徴とするデータ伝送装置。
【請求項１０】
前記決定モジュールは、具体的には、
前記複数のロジックチャネルのうちの各ロジックチャネルに対応する指示情報に基づいて、前記複数のキャリア又はキャリアグループを決定することに用いられることを特徴とする請求項９に記載の装置。
【請求項１１】
前記各ロジックチャネルに対応する指示情報が、前記各ロジックチャネルに対応するロジックチャネル設定情報の指示フィールドに含まれることを特徴とする請求項１０に記載の装置。
【請求項１２】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項１１に記載の装置。
【請求項１３】
前記指示情報は、前記複数のロジックチャネルのうちの第１ロジックチャネルに対応する第１指示情報を含み、前記決定モジュールは、具体的には、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定することに用いられ、
前記通信モジュールは、具体的には、
前記第１キャリア、又は前記第１キャリアグループのうちの一部又は全部キャリアを利用して、前記第１ロジックチャネルで搬送される前記複製データを伝送することに用いられることを特徴とする請求項１０〜１２のいずれか１項に記載の装置。
【請求項１４】
前記決定モジュールは、具体的には、
前記各ロジックチャネルのロジックチャネル設定情報に、前記指示情報を含む指示フィールドが存在することを決定することに用いられることを特徴とする請求項１１〜１３のいずれか１項に記載の装置。
【請求項１５】
前記決定モジュールは、具体的には、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと複数のＭＡＣエンティティとは一対一に対応することと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応することとに用いられることを特徴とする請求項１４に記載の装置。
【国際調査報告】
2020512729.tif 000008
2020512729.tif 000009
2020512729.tif 000010
2020512729.tif 000011